(57)【要約】【課題】多種類の生物化学物質を順次または同時に検出できるマイクロチャンネルセンサー試験片を提供すること。【解決手段】多種類人体生理情報を同時に検査可能なマイクロチャンネルセンサー試験片において、電気絶縁基板と、基板と向かい合って貼り付け、その一端に検査物仕送り開口部を設けた蓋板と、検査物仕送り開口部と向かい合う検査物仕送り収容区域と、その一端は、検査物収容区域に連結し、他端は各反応酵素区域に連結する、複数の連絡するマイクロチャンネルと、基板に貼り付けられ、その一端が反応酵素区域に連結し、他端が試験片の一端に延ばしておく、一つ以上の作業、参考電極とにより構成する。【選択図】図３
0003120375.tif 000002
【実用新案登録請求の範囲】
【請求項１】
検査物の生物化学物質含有量を検査する一種の多種類人体生理情報を同時に検査可能なマイクロチャンネルセンサー試験片において、
電気絶縁基板と、
基板と向かい合って貼り付け、その一端に検査物仕送り開口部を設けた蓋板と、
検査物仕送り開口部と向かい合う検査物仕送り収容区域と、
その一端は、検査物収容区域に連結し、他端は各反応酵素区域に連結する、複数の連絡するマイクロチャンネルと、
基板に貼り付けられ、その一端が反応酵素区域に連結し、他端が試験片の一端に延ばしておく、一つ以上の作業、参考電極とにより構成することを特徴とする、
多種類人体生理情報を同時に検査可能なマイクロチャンネルセンサー試験片。
【請求項２】
マイクロチャンネルは順次方式により、各反応酵素区域に連結することを特徴とする、請求項１記載の多種類人体生理情報を同時に検査可能なマイクロチャンネルセンサー試験片。
【請求項３】
マイクロチャンネルは各反応酵素区域と同等距離を維持することを特徴とする、請求項１記載の多種類人体生理情報を同時に検査可能なマイクロチャンネルセンサー試験片。
【請求項４】
マイクロチャンネルに連結する作業、参考電極は基板の両側に分布することを特徴とする、請求項２又は請求３記載の多種類人体生理情報を同時に検査可能なマイクロチャンネルセンサー試験片。
【考案の詳細な説明】
【技術分野】
【０００１】
本考案は多種類人体生理情報を同時に検査可能なマイクロチャンネルセンサー試験片に関わるもので、特に一種の複数のマイクロチャンネルセンサー試験片構造により、人間の体液（血液など）を含めた各種の生理情報を検出する。試験片に複数のマイクロチャンネルを設け、毛細管の働きにより、体液をマイクロチャンネルに接続した各酵素区域に導入し、酵素区域に封入した各酵素と反応を発生した上、被測定物の生物化学物質を順次または同時に検出できる多種類人体生理情報を同時に検査可能なマイクロチャンネルセンサー試験片に関するものである。
【背景技術】
【０００２】
近年、経済の発展および現代文明に伴い、糖尿病、高血圧、高脂血症、痛風などの現代文明病(慢性病とも言う)も我々の生活に接近しつつある、そして、健康に大きな脅威を与えている。このため、日頃の食事管理、適宜に運動するほか、医療機関に赴き、健康診断を受けて、自身の健康状況を把握しなければならない。在宅介護の観念がだんだん高まり、快速、廉価で、専業者による操作が不要で、在宅のまま自己検知できる製品も増えている。その中で、血糖測定器、電子検温計、電子式血圧計、コレステロール測定器等の医療計器を使って利用者が自分の健康状態を知りたいときに、時間とお金をかけてわざわざ医療施設に赴き医療関係者協力のもとで、測定する必要がない。手持ちの医療計器があれば、いずでも、どこでも自分からだ健康状態を把握できて、病気の悪化は避けられる。さらに、糖尿病、高血圧病、高脂血症、痛風などの疾患は、すべて関連性があり、併発の可能性が大きいため、利用者は多種類の検査によって、自分の病状を把握できる。
【考案の開示】
【考案が解決しようとする課題】
【０００３】
図１に示すとおり、前述の通常の慢性病は、血液による検査が多く、利用者は指または耳たぶより採血し、その血液を生物センサーの電極試験片開口部に取り付ける。その開口部に反応する反応酵素区域を設け、一種の酵素は一種類の生理情報のみ検査できる。公知技術の生物センサーの電極試験片は平板形状の絶縁基板より構成し、生物反応フィルムと導電層の加熱固定化処理に備えるため、通常に電気絶縁および耐熱特性を設ける。ポリカーボネート板、塩ビ板、ポリプロピレン板、ガラスファイバー板、ベークライト板、セラミックスまたはガラス板などを用いる。そのうち、導電層に電極信号回路と作業電極回路や一対の分離式電極信号回路を設ける。この電極信号回路の一端は反応酵素区域に接続し、電極信号回路の他端は、電気化学生物センサー装置に接続する(図示していない)。電気化学反応により、血液中の生理情報を検査できる。
【０００４】
しかしながら、項目ごとに採血しなければならない。また、採血するたびに苦痛を与える。特に、長期化の慢性病患者にとって、長年にわたり、その苦痛を繰り返される。
一例として、血糖など人間の生物情報において、電極試験片はそれぞれ一つの検査物取り付け口と単一の生物反応酵素しかない。このため、他の人のコレステロール総量、高密度リポタンパク質、低密度リポタンパク質または尿酸含有量などの生物情報を検査するとき、再度、採血をする必要があるほか、異なる電極試験片および生物センサーを使用しなければならない。
【課題を解決するための手段】
【０００５】
本考案は利用者の採血回数および苦痛の軽減、および多項目検査を実現するため、生物センサー電極試験片の検査物仕送り開口部に複数のマイクロチャンネルを設け、毛細管拡散の働きを利用し、検査物仕送り開口部内部の血液をそれぞれの酵素反応区域に伝送し、個々の酵素反応区域に検査物に対応した反応酵素を設ける。これにより、１回の検査で多種類の生物情報の検査値が得られる。
【０００６】
即ち、本願の第１考案は、検査物の生物化学物質含有量を検査する一種の多種類人体生理情報を同時に検査可能なマイクロチャンネルセンサー試験片において、電気絶縁基板と、基板と向かい合って貼り付け、その一端に検査物仕送り開口部を設けた蓋板と、検査物仕送り開口部と向かい合う検査物仕送り収容区域と、その一端は、検査物収容区域に連結し、他端は各反応酵素区域に連結する、複数の連絡するマイクロチャンネルと、基板に貼り付けられ、その一端が反応酵素区域に連結し、他端が試験片の一端に延ばしておく、一つ以上の作業、参考電極とにより構成することを特徴とする、多種類人体生理情報を同時に検査可能なマイクロチャンネルセンサー試験片を提供する。
【０００７】
本願の第２考案は、マイクロチャンネルは順次方式により、各反応酵素区域に連結することを特徴とする、前記第１考案の多種類人体生理情報を同時に検査可能なマイクロチャンネルセンサー試験片を提供する。
【０００８】
本願の第３考案は、マイクロチャンネルは各反応酵素区域と同等距離を維持することを特徴とする、前記第１考案の多種類人体生理情報を同時に検査可能なマイクロチャンネルセンサー試験片を提供する。
【０００９】
本願の第４考案は、マイクロチャンネルに連結する作業、参考電極は基板の両側に分布することを特徴とする、前記第２又は３考案の多種類人体生理情報を同時に検査可能なマイクロチャンネルセンサー試験片を提供する。
【考案の効果】
【００１０】
前記のとおり、本考案は複数のチャンネルより、毛細管拡散の働きを利用し、検査物仕送り開口部に取り付けた血液をそれぞれの酵素反応区域に伝送するにより、１回の検査で、多種類の人体生物情報計測値が得られるため、より経済的、より効率的な検査を実現する。
【考案を実施するための最良の形態】
【００１１】
以降に図面を参照しながら本考案に係る実施例について説明する。
【実施例１】
【００１２】
図２、図３において、図２は本考案実施例１の概略図で、図３は同実施例の分解概略図である。この実施例は、４種類の生物情報を同時に検査する例を挙げている。ただし、使用するときは、必要に応じて、様々な項目に対応した検査区域を設けることができる。
【００１３】
本考案の多種類人体生理情報を同時に検査可能なマイクロチャンネルセンサー試験片１０は蓋板１７を設け、蓋板１７の片側に検査物仕送り開口部１１を設ける。
【００１４】
検査物仕送り開口部１１の下部に検査物仕送り収容区域１４に対応し、検査物仕送り収容区域１４はマイクロチャンネル１２に連結し、マイクロチャンネル１２の一端に第１反応酵素区域１３を設ける。各チャンネルは順次に第２反応酵素区域１３２、第３反応酵素区域１３３および第４反応酵素区域１３４に連結する。
【００１５】
そのうち、第１反応酵素区域１３、第２反応酵素区域１３２、第３反応酵素区域１３３および第４反応酵素区域１３４は取り付ける反応酵素により、血糖酵素反応区域、コレステロール総量酵素反応区域、高密度リポタンパク質酵素反応区域または尿酸反応区域に仕切ることができる。
【００１６】
基板１８、この基板１８は電気絶縁式の平板であり、基板１８上に第１対作業、参考電極１９、第２対作業、参考電極１９２、第３対作業、参考電極１９３および第４対作業、参考電極１９４を設ける。
【００１７】
第１反応酵素区域１３は第１対作業、参考電極１９、第２反応酵素区域１３２は第２対作業、参考電極１９２、第３反応酵素区域１３３は第３対作業、参考電極１９３、および第４反応酵素区域１３４は第４対作業、参考電極１９４に接続しておく、第１反応酵素区域１３、第２反応酵素区域１３２、第３反応酵素区域１３３および第４反応酵素区域１３４の電気化学反応は、第１対作業、参考電極１９、第２対作業、参考電極１９２、第３対作業、参考電極１９３および第４対作業、参考電極１９４より伝送する。
【実施例２】
【００１８】
図４と図５において、図４は本考案もう一つの実施例の概略図であり、図５は本考案もう一つの実施例の断面図である。
【００１９】
この実施例において、立体式科学試験片を例示したものである。そのうち、第１反応酵素区域１３と第１対作業、参考電極１９、第２反応酵素区域１３２と第２対作業、参考電極１９２は基板１８の片面に設け、第３反応酵素区域１３３と第３対作業、参考電極１９３、第４酵素反応区域１３４と第４対作業、参考電極１９４は基板１８他の面に設ける。このため、電極試験片の幅を減少できる。
【００２０】
図６は、マイクロチャンネル生物センサー試験片１０を用いて人体生物信号センサー２０により、検査物の生物化学物質含量読み取り状況の概略図である。
測定者が電極試験片１０を人体生物信号センサー２０に挿入した後、検査物を取り付けて、人体生物信号センサー２０が演算処理を行い、検査物の血糖、コレステロール総量、高密度リポタンパク質または尿酸など検査値を表示できる。
【００２１】
以上の説明は本考案の好ましい実施例であり、本考案実施の範疇に制限を加わるものではない。よって、本考案の請求範囲による等効果変化または修飾は、本考案の範囲に含まれるものとする。
【図面の簡単な説明】
【００２２】
【図１】公知技術の生物センサー電極試験片の概略図である。
【図２】本考案の実施例１の概略図である。
【図３】本考案の実施例１の分解概略図である。
【図４】本考案のもう一つの実施例の概略図である。
【図５】本考案のもう一つの実施例の断面図である。
【図６】本考案の使用態様概略図である。
【符号の説明】
【００２３】
１０    電極試験片
１１    検査物仕送り開口部
１２    マイクロチャンネル
１３    第１反応酵素区域
１３２  第２反応酵素区域
１３３  第３反応酵素区域
１３４  第４反応酵素区域
１７    蓋板
１８    基板
１９    第１対作業、参考電極
１９２  第２対作業、参考電極
１９３  第３対作業、参考電極
１９４  第４対作業、参考電極
２０    人体生物信号センサー
【図１】
0003120375.tif 000003
【図２】
0003120375.tif 000004
【図３】
0003120375.tif 000005
【図４】
0003120375.tif 000006
【図５】
0003120375.tif 000007
【図６】
0003120375.tif 000008